(57)【要約】【課題】スクリーンに映像を投射することなく、設置位置の調整を容易に行うことができる投射型映像表示装置を提供することを目的とする。【解決手段】投射型映像表示装置１は、映像処理部３と、光源部７ａ，７ｂと、光源部７ａからの光を受け、処理された映像信号に応じた映像光を形成する映像表示部４と、映像表示部４からの映像光または光源部７ｂからの光をスクリーン１０に投射する投射レンズ６と、映像表示部４から投射レンズ６までの光路と、光源部７ｂから投射レンズ６までの光路とを切り替える可動ミラー５とを備えている。光源部７ｂは、映像表示部４からの映像がスクリーン１０に投射される場合の表示領域１３をスクリーン１０上で視認可能なように光を発する。【選択図】図１
2015161769.tif 000002
【特許請求の範囲】
【請求項１】
外部から入力される映像信号を処理する映像処理部と、
第１，第２の光源部と、
前記第１の光源部からの光を受け、前記処理された映像信号に応じた映像光を形成する映像表示部と、
前記映像表示部からの前記映像光または前記第２の光源部からの光をスクリーンに投射する投射レンズと、
前記映像表示部から前記投射レンズまでの光路と、前記第２の光源部から前記投射レンズまでの光路とを切り替える可動ミラーとを備え
前記第２の光源部は、前記映像表示部からの映像が前記スクリーンに投射される場合の表示領域を前記スクリーン上で視認可能なように光を発する、投射型映像表示装置。
【請求項２】
前記投射型映像表示装置への電源供給が遮断された状態で、前記光源部へ電源を供給可能な電源部と、
前記電源部から前記光源部へ電源を供給する電源供給状態と、前記電源部から前記光源部への電源供給を遮断する電源遮断状態とに切り替えるスイッチとをさらに備える、請求項１記載の投射型映像表示装置。
【請求項３】
前記第２の光源部は、前記表示領域の四隅と一致する位置に光を投射するように光を発する、請求項１または請求項２記載の投射型映像表示装置。
【請求項４】
前記第２の光源部は４つのＬＥＤで構成される、請求項３記載の投射型映像表示装置。
【発明の詳細な説明】
【技術分野】
【０００１】
本発明は、投射型映像表示装置の設置位置の調整に関するものである。
【背景技術】
【０００２】
周知の技術である投射型映像表示装置（例えばプロジェクタ）の表示領域は、スクリーンと投射型映像表示装置との相対位置で決定される。一般の会議室では、使用者は、スクリーンが壁面または壁面近傍に固定された状態で投射型映像表示装置を移動させながら、設置位置を調整することが多い。この場合、使用者が要求するスクリーン上の位置に、必要なサイズで映像を表示させるために、投射型映像表示装置の電源を入れてスクリーン上に投射された映像を参照しながら調整する方法が用いられる。
【０００３】
しかしこの方法では、使用者は、投射型映像表示装置の電源を入れた状態で投射型映像表示装置を移動させたり傾けたりすることになる。そのため、使用者は、誤って電源ケーブルを抜かない、投射光を目に入れない、および投射型映像表示装置の熱い部分に触れないという注意が必要であり使用者に負担が生じる。特に天井に吊り下げるような場所に投射型映像表示装置を設置した場合は、床または壁面の電源供給から投射型映像表示装置までの接続に長い電源ケーブルが使われるため、使用者が投射型映像表示装置を移動させる際に不便を伴う。
【０００４】
そこで、前述のような使用者の負担および不便をなくすために、例えば特許文献１には、ポインタの光軸が投射レンズの光軸にほぼ平行になるようにレーザポインタ付のリモコンを投射型映像表示装置に取り付けることで、投射型映像表示装置の電源を入れなくてもスクリーン上のポインタの光点を目安にして設置を行えるようにした投射型映像表示装置が開示されている。
【先行技術文献】
【特許文献】
【０００５】
【特許文献１】実用新案登録第３０９１８１１号公報
【発明の概要】
【発明が解決しようとする課題】
【０００６】
しかし、特許文献１に記載の投射型映像表示装置における設置位置の調整では、設置位置の中心を合わせることはできるが、スクリーンに表示される映像のサイズまたは映像表示装置の傾きによって発生する映像の歪などの情報は得られないため、スクリーンから投射型映像表示装置までの距離および投射型映像表示装置の傾きなどの調整は、最終的に映像を表示させて行わなければならない。
【０００７】
そこで、本発明は、スクリーンに映像を投射することなく、設置位置の調整を容易に行うことができる投射型映像表示装置を提供することを目的とする。
【課題を解決するための手段】
【０００８】
本発明に係る投射型映像表示装置は、外部から入力される映像信号を処理する映像処理部と、第１，第２の光源部と、前記第１の光源部からの光を受け、前記処理された映像信号に応じた映像光を形成する映像表示部と、前記映像表示部からの前記映像光または前記第２の光源部からの光をスクリーンに投射する投射レンズと、前記映像表示部から前記投射レンズまでの光路と、前記第２の光源部から前記投射レンズまでの光路とを切り替える可動ミラーとを備え、前記第２の光源部は、前記映像表示部からの映像が前記スクリーンに投射される場合の表示領域を前記スクリーン上で視認可能なように光を発するものである。
【発明の効果】
【０００９】
本発明によれば、投射型映像表示装置は、外部から入力される映像信号を処理する映像処理部と、第１，第２の光源部と、第１の光源部からの光を受け、処理された映像信号に応じた映像光を形成する映像表示部と、映像表示部からの映像光または第２の光源部からの光をスクリーンに投射する投射レンズと、映像表示部から投射レンズまでの光路と、第２の光源部から投射レンズまでの光路とを切り替える可動ミラーとを備え、第２の光源部は、映像表示部からの映像がスクリーンに投射される場合の表示領域をスクリーン上で視認可能なように光を発する。
【００１０】
したがって、可動ミラーによって第２の光源部から投射レンズまでの光路に切り替えることで、第２の光源部からの光をスクリーンに投射することができる。光源部は、映像表示部からの映像がスクリーンに投射される場合の表示領域をスクリーン上で視認可能なように光を発するため、使用者は、映像表示部からの映像を投射することなく、スクリーンから投射型映像表示装置までの距離および投射型映像表示装置の傾きなどの調整を含めた投射型映像表示装置の設置位置の調整を容易に行うことができる。
【図面の簡単な説明】
【００１１】
【図１】実施の形態１に係る投射型映像表示装置の構成図である。
【図２】光源部の構成図である。
【図３】投射型映像表示装置における電源オン時の可動ミラーの位置を示す図である。
【図４】投射型映像表示装置における電源オフ時の可動ミラーの位置を示す図である。
【図５】スクリーンへのＬＥＤによるポインティングを示す図である。
【図６】スクリーン上のポインタと表示領域の位置関係を示す図である。
【図７】投射型映像表示装置が光軸に対して傾いていた場合のスクリーン上のポインタと使用者の要求する表示領域の位置関係を示す図である。
【図８】投射型映像表示装置が光軸に対して回転していた場合のスクリーン上のポインタと使用者の要求する表示領域の位置関係を示す図である。
【発明を実施するための形態】
【００１２】
＜実施の形態＞
本発明の実施の形態について、図面を用いて以下に説明する。図１は、実施の形態１に係る投射型映像表示装置１の構成図であり、図２は、光源部７ｂの構成図である。
【００１３】
図１に示すように、投射型映像表示装置１は、壁面または壁面近傍に固定されたスクリーン１０に映像を投射する装置である。投射型映像表示装置１は、入力端子２と、映像処理部３と、光源部７ａ（第１の光源部）と、映像表示部４と、可動ミラー５と、投射レンズ６と、光源部７ｂ（第２の光源部）と、電源部８と、スイッチ９とを備えている。
【００１４】
映像処理部３は、入力端子２を介して外部から入力される映像信号を映像表示部４に表示させるために処理を行い、処理された映像信号を映像表示部４に送る。光源部７ａは、例えばＬＥＤまたはレーザなどで構成され、光を映像表示部４に出射する。映像表示部４は、光変調素子であり、処理された映像信号に応じて、光源部７ａからの光を変調することで映像光を形成する。
【００１５】
光源部７ｂは、映像表示部４からの映像がスクリーン１０に投射される場合の表示領域１３（図６参照）をスクリーン１０上で視認可能なように光を発する。より具体的には、光源部７ｂは、図２に示すように、複数（例えば４つ）のＬＥＤ１１で構成され、複数のＬＥＤ１１は、スクリーン１０上の表示領域１３に応じて配置されている。なお、ＬＥＤ１１の配置の詳細については後述する。
【００１６】
図１に示すように、投射レンズ６は、映像表示部４からの映像光または光源部７ｂからの光をスクリーン１０に投射する。可動ミラー５は、映像表示部４から投射レンズ６までの光路と、光源部７ｂから投射レンズ６までの光路とを切り替える。
【００１７】
投射型映像表示装置１は、電源ケーブル（図示省略）を介して外部から電源が供給される。投射型映像表示装置１の電源スイッチ（図示省略）をオンにした場合、外部から投射型映像表示装置１へ電源が供給され、投射型映像表示装置１の電源スイッチをオフにした場合、外部から投射型映像表示装置１への電源供給が遮断される。外部から供給される電源によって、映像処理部３、映像表示部４および可動ミラー５が動作する。
【００１８】
電源部８は、例えば電池で構成され、外部から投射型映像表示装置１への電源供給が遮断された状態（投射型映像表示装置１の電源スイッチがオフの状態）で、光源部７ｂへ電源を供給する。すなわち、光源部７ｂは、外部電源で駆動されるのではなく、電源部８で駆動される。スイッチ９は、電源部８から光源部７ｂへ電源を供給する電源供給状態と、電源部８から光源部７ｂへの電源供給を遮断する電源遮断状態とに切り替えるための部材である。
【００１９】
次に、可動ミラー５の動作について説明する。図３は、投射型映像表示装置１における電源オン時の可動ミラー５の位置を示す図であり、図４は、投射型映像表示装置１における電源オフ時の可動ミラー５の位置を示す図である。可動ミラー５は、電動モータ（図示省略）と電気的に接続され、電動モータの駆動によって、図１の２点鎖線および図３に示す第１位置と、図１の実線および図４に示す第２位置に切り替え可能に構成されている。ここで、電動モータは外部電源によって駆動する。
【００２０】
第１位置は、映像表示部４から投射レンズ６までの光路に切り替えるための位置であり、より具体的には、映像表示部４から投射レンズ６までの光路を妨げない位置である。投射型映像表示装置１の電源スイッチがオンされると、外部から投射型映像表示装置１へ電源が供給され、電動モータの駆動によって可動ミラー５は第１位置に切り替えられる。そのため、スクリーン１０に表示される映像への影響がなく、従来どおり投射型映像表示装置１を使用することができる。
【００２１】
第２位置は、光源部７ｂから投射レンズ６までの光路に切り替えるための位置である。より具体的には、第２位置は、光源部７ｂを構成する４つのＬＥＤ１１の配置領域の中心と投射レンズ６を結ぶ光軸（図４中の実線）が、映像表示部４の表示領域の中心と投射レンズ６を結ぶ光軸（図３中の実線）と一致する位置である。光源部７ｂのＬＥＤ１１は、映像表示部４からスクリーン１０までの光路長と、光源部７ｂからスクリーン１０までの光路長が一致するように配置されている。投射型映像表示装置１の電源スイッチがオフされると、供給されている外部電源によって電動モータが駆動される。電動モータの駆動によって可動ミラー５は第２位置に切り替えられ、その後、外部から投射型映像表示装置１への電源供給が遮断される。
【００２２】
次に、光源部７ｂについて説明する。図５は、スクリーン１０へのＬＥＤ１１によるポインティングを示す図であり、図６は、スクリーン１０上のポインタ１２と表示領域１３の位置関係を示す図であり、図７は、投射型映像表示装置１が光軸に対して傾いていた場合のスクリーン１０上のポインタ１２と使用者の要求する表示領域１４の位置関係を示す図であり、図８は、投射型映像表示装置１が光軸に対して回転していた場合のスクリーン１０上のポインタ１２と使用者の要求する表示領域１４の位置関係を示す図である。
【００２３】
投射型映像表示装置１の電源オフ時に使用者がスイッチ９をオンすることで、電源部８から電源が供給されて光源部７ｂのＬＥＤ１１が点灯し、図５に示すように、スクリーン１０にＬＥＤ１１によるポインタ１２が４つ表示される。図５において、ｙ軸は投射型映像表示装置１の投射レンズ６の光軸方向を示す。ｘ軸は光軸に垂直でありかつ投射型映像表示装置１の設置面に対して水平な方向を示す。ｚ軸は光軸に垂直でありかつ投射型映像表示装置１の設置面に対して垂直な方向を示す。
【００２４】
このとき、スクリーン１０に表示されたポインタ１２は、図６に示すように、映像を投射したときの表示領域１３の四隅と一致するため、使用者はポインタ１２を参照することで、スクリーン１０上の任意の位置に投射映像の位置を仮設定することができる。使用者は投射型映像表示装置１の電源スイッチをオンすることなく投射映像の位置合わせを行うことができるため、投射型映像表示装置１の設置に要する手間を省くことができる。
【００２５】
さらに、スクリーン１０に表示されたポインタ１２を参照することで、投射型映像表示装置１の設置時の傾きによって発生する投射映像の歪も調整することが可能である。
【００２６】
通常、投射型映像表示装置１を使用する際には、映像表示部４の光変調素子と同じ形状（図７の破線枠に示す使用者の要求する表示領域１４）に映像表示を行い投射映像の歪を最小にすることが求められる。しかし、図７に示すように、投射型映像表示装置１をｙ軸に対して傾けた状態で設置した場合、ポインタ１２間の距離が異なって表示される。
【００２７】
また、図８に示すように、投射型映像表示装置１をｘ軸に対して傾けた状態で設置した場合、使用者の要求する表示領域１４に対してポインタ１２は斜めにずれた配置領域として表示される。このように、スクリーン１０に表示されたポインタ１２の配置領域が矩形と異なっている場合、投射映像が歪んでいることが予想され、ポインタ１２の配置領域が正しい位置（すなわち、ポインタ１２の配置領域が矩形となる位置）になるように投射型映像表示装置１の傾きの調整が可能である。
【００２８】
スクリーン１０上のポインタ１２の配置領域を参照することで、投射型映像表示装置１の電源スイッチをオンすることなく、投射型映像表示装置１の設置の傾きによって発生する投射映像の歪を予測することが可能である。例えば、会議室に投射型映像表示装置１の取り付け冶具を取り付ける場合に、ポインタ１２の配置を参照しながら取り付け冶具の位置および向きの調整を簡単に行うことができる。
【００２９】
以上のように、実施の形態１に係る投射型映像表示装置１は、外部から入力される映像信号を処理する映像処理部３と、光源部７ａ，７ｂと、光源部７ａからの光を受け、処理された映像信号に応じた映像光を形成する映像表示部４と、映像表示部４からの映像光または光源部７ｂからの光をスクリーン１０に投射する投射レンズ６と、映像表示部４から投射レンズ６までの光路と、光源部７ｂから投射レンズ６までの光路とを切り替える可動ミラー５とを備え、光源部７ｂは、映像表示部４からの映像がスクリーン１０に投射される場合の表示領域１３をスクリーン１０上で視認可能なように光を発する。
【００３０】
したがって、可動ミラー５によって光源部７ｂから投射レンズ６までの光路に切り替えることで、光源部７ｂからの光をスクリーン１０に投射することができる。光源部７ｂは、映像表示部４からの映像がスクリーン１０に投射される場合の表示領域１３をスクリーン１０上で視認可能なように光を発するため、使用者は、映像表示部４からの映像を投射することなく、スクリーン１０から投射型映像表示装置１までの距離および投射型映像表示装置１の傾きなどの調整を含めた投射型映像表示装置１の設置位置の調整を容易に行うことができる。
【００３１】
投射型映像表示装置１への電源供給が遮断された状態で、光源部７ｂへ電源を供給可能な電源部８と、電源部８から光源部７ｂへ電源を供給する電源供給状態と、電源部８から光源部７ｂへの電源供給を遮断する電源遮断状態とに切り替えるスイッチ９とをさらに備えるため、投射型映像表示装置１の電源スイッチをオンにすることなく、投射型映像表示装置１の設置位置の調整を行うことができる。これにより、映像光を目に入れたり投射型映像表示装置１の加熱部分に触れたりすることがない状態で設置作業を行うことが可能になる。
【００３２】
投射型映像表示装置１を設置する際に投射型映像表示装置１の電源スイッチを入れずに、スクリーン１０に投射される映像の位置が分かるため、電源の制約を受けることなく投射型映像表示装置１の移動および取り回しが可能となる。
【００３３】
光源部７ｂは、表示領域１３の四隅と一致する位置に光を投射するように光を発するため、使用者は、映像表示部４からの映像を投射することなく、スクリーン１０上に投射されるポインタ１２を参照しながら、投射型映像表示装置１の設置位置の調整を容易に行うことができる。
【００３４】
光源部７ｂは４つのＬＥＤ１１で構成されるため、簡単な構成で実現できるとともに、ＬＥＤ１１の配置領域を変更してポインタ１２の配置領域を容易に変更することができる。
【００３５】
なお、実施の形態では、投射型映像表示装置１の電源スイッチのオンオフに連動する電動モータの駆動によって自動で可動ミラー５の位置が切り替えられることと説明したが、使用者が手動で可動ミラー５の位置を切り替える方法等を用いることも可能である。
【００３６】
また、実施の形態では、４つのＬＥＤ１１の配置領域のサイズを映像表示部４の表示領域のサイズと同じ距離にして、映像表示部４からスクリーン１０までの光路長と、光源部７ｂからスクリーン１０までの光路長を同一にする光学的な構成を用いた場合について説明した。スクリーン１０上の表示領域１３の四隅とＬＥＤ１１によるポインタ１２の位置が一致するならば、光学的な構成を自由に変更することが可能である。例えば、ＬＥＤ１１の配置領域を大きくすることで光源部７ｂから投射レンズ６までの光路長を短縮し、一層コンパクトな構成にすることができる。また、１枚ではなく複数のミラーを組み合わせた部材を可動ミラーとして用いることも可能である。
【００３７】
光源部７ｂは、スクリーン１０上の表示領域１３の四隅と一致する位置に光を投射するように光を発することとしたが、表示領域１３の周縁部と一致する位置に枠状に光を投射するように複数のＬＥＤが配置されてもよい。また、光源部７ｂの光源としてＬＥＤを用いたが、レーザなど別の光源を用いることも可能である。
【００３８】
なお、本発明は、その発明の範囲内において、実施の形態を適宜、変形、省略することが可能である。
【符号の説明】
【００３９】
１  投射型映像表示装置、３  映像処理部、４  映像表示部、５  可動ミラー、６  投射レンズ、７ａ  光源部、７ｂ  光源部、８  電源部、９  スイッチ、１０  スクリーン、１１  ＬＥＤ、１３  表示領域。
【図１】
2015161769.tif 000003
【図２】
2015161769.tif 000004
【図３】
2015161769.tif 000005
【図４】
2015161769.tif 000006
【図５】
2015161769.tif 000007
【図６】
2015161769.tif 000008
【図７】
2015161769.tif 000009
【図８】
2015161769.tif 000010